(57)【要約】【課題】  尿失禁のおそれがある人でも安心できる介護用座布団を提供する。【解決手段】  不透液性シート１３の上に透液性シート１４を重ね、両シートの間に吸水性パッド１５を挟持させた吸水シート部１２と、該吸水シート部１２の下面に設けられたクッションシート部１１とを重ねて袋体１７内に収容する。外観上は通常の座布団と同じであるが、座った人が尿を漏らしても、漏れた尿は透液性シート１４を通過して吸水性パッド１５に吸い込まれ、吸水性パッド１５の下には不透液性シート１３があるので、椅子やソファーなどを汚す心配がない。【選択図】    図２
2005319265.tif 000002
【特許請求の範囲】
【請求項１】
不透液性のシートの上に透液性シートを重ね、両シートの間に吸水性のパッドを挟持させた吸水シート部と、該吸水シート部の下面に設けられたクッションシート部と、前記吸水シート部とクッションシート部とを重ねた状態で収容する袋体と、を有し、該袋体の少なくとも前記吸水シートと接する部分が透液性であることを特徴とする介護用座布団。
【請求項２】
前記袋体が、前記吸水シート部を挿入・取出する開口を有することを特徴とする請求項１記載の介護用座布団。
【請求項３】
前記袋体が前記吸水シート部の透液性シートを兼ね、前記吸水シート部の不透液性シートが前記袋体内のクッションシートの一方側にあって、該クッションシートのほぼ全面を覆う大きさであることを特徴とする請求項１記載の介護用座布団。
【発明の詳細な説明】
【技術分野】
【０００１】  本発明は介護用に使用される座布団に関する。
【背景技術】
【０００２】  従来、泌尿器疾患の患者などで、尿失禁のおそれがある人は、大人用の使い捨ておむつをするしかなかった。しかし、尿失禁の可能性の低い人にとっては、常時おむつをする必要性が低く、むしろ、おむつはかさばり、装着に違和感を感じることから、使うのを嫌がる。【０００３】  ところで、椅子やソファーに座っているとき、尿を漏らすと、着衣や座っていた周辺を汚してしまうことになる。着衣の方は洗濯すればよいが、椅子やソファーに吸水性の素材が使用されていると、簡単に汚れを取ることができず、椅子やソファーを廃棄せざるを得なくなることもある。また、車のシートに尿を漏らすと、さらに面倒なことになる。【０００４】  そのため、常時おむつをする必要がない人でも、外出するときなどは、尿を漏らしはしないかと心配し、漏らしたときのことを考えると、非常に不安になる。かといって、おむつはしたくない。【０００５】  このような人のために、特許文献１（特開２００２−６５７４２号）では、装着時の違和感を軽減した使い捨て吸収性物品を提案している。また、特許文献２（特開２００３−１９０１６８号）では、センサーによって、膀胱内の蓄尿量を定期的に自動計測し、失禁の可能性がある場合には、本人や周囲の人に知らせる尿失禁予防機器を提案している。【０００６】  しかし、特許文献１に記載のものは、装着感は軽減されても全く無くなるわけではないので、常時はおむつをしなくてよい人には適さない。次の、特許文献２は、電子的な装置なので、かなり高価なものとなる。また、失禁の可能性のあるとき、近くにトイレがないと意味がないので、外出の際には不十分なものとなる。
【特許文献１】  特開２００２−６５７４２号
【特許文献２】  特開２００３−１９０１６８号
【発明の開示】
【発明が解決しようとする課題】
【０００７】  本発明は、このような事実から考えられたもので、尿失禁のおそれがある人でも安心できる介護用座布団を提供することを目的としている。
【課題を解決するための手段】
【０００８】  前記の目的を達成するために本発明の請求項１の介護用座布団は、不透液性のシートの上に透液性シートを重ね、両シートの間に吸水性のパッドを挟持させた吸水シート部と、該吸水シート部の下面に設けられたクッションシート部と、前記吸水シート部とクッションシート部とを重ねた状態で収容する袋体と、を有し、該袋体の少なくとも前記吸水シートと接する部分が透液性であることを特徴としている。【０００９】  本発明の請求項２の介護用座布団は、前記袋体が、前記吸水シート部を挿入・取出する開口を有することを特徴としている。【００１０】  本発明の請求項３の介護用座布団は、前記袋体が前記吸水シート部の透液性シートを兼ね、前記吸水シート部の不透液性シートが前記袋体内のクッションシートの一方側にあって、該クッションシートのほぼ全面を覆う大きさであることを特徴としている。
【発明の効果】
【００１１】  本発明の請求項１記載の介護用座布団は、不透液性シートの上に透液性シートを重ね、両シートの間に吸水性パッドを挟持させた吸水シート部と、該吸水シート部の下面に設けられたクッションシート部とを重ねて透液性の袋体内に収容する構成なので、外観上は通常の座布団と同じである。尿失禁の可能性のある人は、この座布団に座れば、運悪く失禁しても、尿は透液性の袋体内とシートを通過して吸水性パッドに吸収され、椅子やソファーなどを汚すことがない。不透液性シートがあるので、尿はクッションシート部には達することがなく、座布団の下の椅子やソファーを汚すことを防止できる。これによって、万一の場合の安全策ができたので、尿失禁の可能性のある人でも、心配することなく生活し、外出もできるという優れた効果を奏し得る。【００１２】  請求項２の発明によれば、吸水シート部が袋体内に出し入れ自由になっているので、吸水シート部だけを交換することで、クッションシート部は繰り返し使用できるという効果を奏する。【００１３】  請求項３の発明によれば、通常の座布団の袋体の一端に開口を形成し、この開口から座布団の中に不透液性シートを入れ、この不透液性シートの上で、かつ、袋体の内側に吸水性のパッドを載せる構成なので、より簡単に作ることができる。
【発明を実施するための最良の形態】
【００１４】  以下、本発明の実施の形態を添付図面を参照して説明する。【００１５】  図１は本発明の１実施例で、介護用座布団の外側の布製の袋体を取り除いた状態を模式的に示す斜視図である。図２は、介護用座布団を図１のＡ−Ａ線で切断して模式的に示す断面図である。【００１６】  これらの図に示すように、本発明の介護用座布団１０は、クッションシート部１１の上に、吸水シート部１２を重ねた構造となっている。【００１７】  クッションシート部１１は、通常の座布団の綿を使用することができるが、それ以外のものでも、適当な弾性のあるものであれば使用することができる。たとえば、軟質発泡ポリウレタンのシートや、エアークッションなどである。【００１８】  吸水シート部１２は、不透液性シート１３の上に透液性シート１４を重ね、両シートの間に吸水パッド１５を挟持させたものである。吸水シート部１２の大きさは、クッションシート部１１と同じか、若干小さめである。【００１９】  不透液性シート１３としては、尿などの液体が貫通しないものであればよく、たとえば、ポリエチレン、塩化ビニール又はナイロンなどの柔軟性のあるフィルムを使用する。厚さは、人が座っても破れる心配のない厚さである。【００２０】  透液性シート１４としては、天然繊維や合成繊維の織布や不織布を使用している。また、透液性シート１４と不透液性シート１３とは同じ大きさで、３辺を接着剤などで接着して袋状にし、吸水パッド１５を挿入して入口の辺を接着して封止する。【００２１】  吸水パッド１５としては、使い捨ておむつに使用される吸水パッドを使用している。これには、綿状パルプ等と吸水性ポリマーとの混合体が使用されている。この混合体を、たとえば、上下にある透液性シート１４や不透液性シート１３より一回り小さい長方形または正方形に成形して使用する。吸水パッドの大きさは任意であり、特定の大きさに限定されるものではない。【００２２】  吸水シート部１２とクッションシート部１１とは、係止部としての両面テープ１６で剥離可能な状態で張り付ける。こうすることによって、吸水シート部１２はクッションシート部１１にワンタッチで着脱できるようになり、吸水シート部１２は使い捨てにし、クッションシート部１１は同じものを繰り返し使用することができる。【００２３】  係止部として両面テープ１６を例示したが、係止構造はこの構成に限定されるものではない。たとえば、紐で縛る構成にしたり、フックにするなど、多様な構成にすることができる。こうして吸水シート部１２とクッションシート部１１とを重ねたら、これらを透液性（たとえば布製）の袋体１７に入れる。袋体１７は、通常の座布団の綿を覆う布地であり、１辺に開口を設け、ここにファスナー１８を取り付けて開閉自在にしておくとよい。ファスナー１８を開いて開口から吸水シート部１２を出し入れすることができるようになる。【００２４】  次に、上記した介護用座布団の使用方法を説明する。【００２５】  尿失禁の心配がある者は、椅子やソファーなどに座る場合は、図示の介護用座布団１０を敷いて座る。運悪く尿を漏らした場合、尿は透液性の袋体１７とシート１４を通過して吸水パッド１５に吸収されるが、下に不透液性シート１３があるので、尿がクッションシート部１１に達する心配はない。当然、椅子やソファーを濡らすこともない。【００２６】  尚、ズボンなどの着衣が濡れることになるが、着替えを用意しておけばよく、濡れた衣服は洗濯すればよい。【００２７】  図３は、本発明の第２実施例の介護用座布団を示す断面図である。この介護用座布団２０は、クッションシート１１を布などの透液性の袋体２７内に収容し、クッションシート１１の上に吸水パッド１５を載せる構成では、実施例１と同じである。しかし、実施例１とは異なり、透液性のシート１４を省略し、袋体２７の上側部分に兼ねさせている。また、クッションシート１１と吸水パッド１５との間に、クッションシート１１と同じ大きさの不透液性シート１３を敷いている。そして、袋体２７の一端２７ａは開放したままとした。一端２７ａは、この介護用座布団２０に座ったとき、座った人の背中側にくるようにし、介護用座布団２０の下側に仮想線に示すように折り込んで使用すると、周囲の人には見えないので、気づかれない。また、一端２７ａをこのように開放しておくことによって、濡れたとき、ここから直ちに吸水パッド１５を取り出すことができる。【００２８】  不透液性シート１３は、クッションシート１１と同じ大きさであれば、クッションシート１１が濡れるのを確実に防止できるが、吸水パッド１５の吸水能力などにより、クッションシート１１より小さくてもよい。また、不透液性シート１３は、その一部を袋体２７に縫いつけて固定しておくと、ずれないので都合がよい。吸水パッド１５は、この不透液性シート１３の上に載せておけばよいが、両面テープ等で固定してもよい。
【図面の簡単な説明】
【００２９】
【図１】  本発明の１実施例で、介護用座布団の外側の布製の袋体を取り除いた状態を模式的に示す斜視図である。
【図２】  本発明の介護用座布団を図１のＡ−Ａ線で切断して模式的に示す断面図である。
【図３】  本発明の第２実施例の介護用座布団を示す断面図である。
【符号の説明】
【００３０】１０，２０    介護用座布団
１１    クッションシート部
１２    吸水シート部
１３，２３    不透液性シート
１４    透液性シート
１５    吸水性パッド
１７，２７    袋体
２７ａ        一端
【図１】
2005319265.tif 000003
【図２】
2005319265.tif 000004
【図３】
2005319265.tif 000005